(57)【要約】【課題】  フランジ（３）の板厚が異なる場合であっても、基準位置となるフランジのアウタ側壁（３Ｃ）に対してウエルト部（１１）を同じ位置に取り付けて、外観品質を向上させる。【解決手段】  ウエザーストリップ（１０）は、フランジ（３）に取り付けられる断面略Ｕ字状のウエルト部（１１）と、インナ側壁部（２１）の外面に形成されて、車体トリム（４）の端縁（４Ａ）を覆い隠すトリムリップ（１８）と、を有する。各側壁部（２１，２２）の内面から頂部（１４）へ向けて斜めに延びる保持リップ（２１，２２）により、フランジ（３）を両側から保持する。アウタ保持リップ（２２）の裏側に突起部（２３）を突出形成する。フランジ嵌着時には、突起部（２３）にアウタ保持リップ（２２）が突き当てられて位置決めされる。【選択図】図４
2014210440.tif 000002
【特許請求の範囲】
【請求項１】
車体側開口部の周縁部に設けられたフランジに取り付けられ、このフランジを挟んで対向する一対の側壁部が頂部により相互に接続された断面略Ｕ字状をなすウエルト部と、
上記一対の側壁部のうちで上記車体側開口部寄りのインナ側壁部の外面に形成されて、車体トリムの端縁を覆い隠すトリムリップと、
上記一対の側壁部のそれぞれの内面から上記頂部へ向けて斜めに延び、上記フランジに弾接して撓み変形することで、上記ウエルト部を上記フランジに保持させる保持リップと、
上記一対の側壁部のうちで上記車体側開口部から遠い側のアウタ側壁部の内面における上記保持リップの裏側に突出形成され、上記保持リップの先端側がアウタ側壁部に近づくように撓み変形する際に、この保持リップに当接する突起部と、
を有することを特徴とする自動車のウエザーストリップ。
【請求項２】
上記フランジの車体側開口部から遠い側のアウタ側面と、上記車体トリムの端縁と、の距離が一定とされており、
上記アウタ側壁部の保持リップが上記突起部に当接することによって、上記フランジのアウタ側面に対して上記ウエルト部が位置決めされるように構成されていることを特徴とする請求項１に記載の自動車のウエザーストリップ。
【請求項３】
上記インナ側壁部の保持リップの肉厚を、上記アウタ側壁部の保持リップの肉厚より厚くしたことを特徴とする請求項１に記載の自動車のウエザーストリップ。
【請求項４】
上記頂部の外面に形成され、上記車体側開口部を開閉する開閉体の閉時にこの開閉体の周縁部に弾接する中空シール部を有することを特徴とする請求項１〜３のいずれかに記載の自動車のウエザーストリップ。
【発明の詳細な説明】
【技術分野】
【０００１】
本発明は、自動車の車体側開口部の周縁部に装着されるウエザーストリップに関する。
【背景技術】
【０００２】
例えば自動車のトランクによって開閉される車体側開口部の開口縁には、シール性の確保を目的としてウエザーストリップが装着される。このウエザーストリップ３０は、図７（ａ），（ｂ）に示すように、車体側開口部の周縁部に設けられるフランジ３１に嵌着する断面略Ｕ字状のウエルト部３２と、このウエルト部３２の外面から延び、車体トリム３３の端縁を覆い隠すトリムリップ３４と、を有し、このトリムリップ３４によって車体トリム３３の端縁が露出することがなく、外観品質の向上が図られている。ウエルト部３２には、頂部により相互に接続された両側壁部の内面より頂部へ向けて斜めに延びる保持リップ３５が設けられ、これらの保持リップ３５がフランジ３１に弾接することで、ウエルト部３２をフランジ３１に保持させている（例えば、特許文献１参照）。
【先行技術文献】
【特許文献】
【０００３】
【特許文献１】特開２００５−４７４４８号公報（図２）
【発明の概要】
【発明が解決しようとする課題】
【０００４】
フランジ３１は、金属板を長手方向（車体開口部の周縁部に沿う周方向）に適宜に繋ぎ合わせて構成されているために、長手方向で厚さが異なるものとなっている。ここで、車体側のフランジ３１と車体トリム３３との位置関係は、一般的に、フランジ３１における車体開口部から遠い側のアウタ側面を基準とし、このアウタ側面と車体トリム３３の端縁との距離が一定となるように設定されている。また、従来のウエザーストリップでは、一般的に、ウエルト部がフランジの板厚の中心に取り付けられる。このため、図７（ａ）に示すようにフランジ３１の板厚が厚い部分３１Ａと、図７（ｂ）に示すようにフランジ３１の板厚が厚い部分３１Ｂとで、車体トリム３３とトリムリップ３４との位置関係がばらついてしまう。なお、図７（ｂ）において二点鎖線で示すトリムリップ３４は、フランジの板厚が薄い部分３１Ａ（図７（ａ）参照）でのフリー状態における車体トリム３３とトリムリップ３４との位置関係を表している。このように車体トリム３３とトリムリップ３４との位置関係がばらつくと、トリムリップ３４の撓み代が増減し、特にフランジ板厚が厚い部分３１Ｂで、車体トリム３３とトリムリップ３４の先端との間に隙が発生するおそれがある。また、車体トリムとトリムリップとの位置関係が長手方向で異なることで、両者が波打っているような印象を与え、外観品質を損ねるおそれがある。
【０００５】
本発明はこのような事情に鑑みてなされたものであり、フランジの板厚が長手方向でばらついている場合であっても、フランジに対するウエルト部の取付位置、特に、フランジのアウタ側面に対するウエルト部の取付位置を適正化し、外観品質を向上することを主たる目的としている。
【課題を解決するための手段】
【０００６】
そこで、第１の発明の自動車のウエザーストリップは、
車体側開口部の周縁部に設けられたフランジに取り付けられ、このフランジを挟んで対向する一対の側壁部が頂部により相互に接続された断面略Ｕ字状をなすウエルト部と、
上記一対の側壁部のうちで上記車体側開口部寄りのインナ側壁部の外面に形成されて、車体トリムの端縁を覆い隠すトリムリップと、
上記一対の側壁部のそれぞれの内面から上記頂部へ向けて斜めに延び、上記フランジに弾接して撓み変形することで、上記ウエルト部を上記フランジに保持させる保持リップと、
上記一対の側壁部のうちで上記車体側開口部から遠い側のアウタ側壁部の内面における上記保持リップの裏側に突出形成され、上記保持リップの先端側がアウタ側壁部に近づくように撓み変形する際に、この保持リップに当接する突起部と、
を有することを特徴としている。
【０００７】
第２の発明は、上記フランジの車体側開口部から遠い側のアウタ側面と、上記車体トリムの端縁と、の距離が一定とされており、上記アウタ側壁部の保持リップが上記突起部に当接することによって、上記フランジのアウタ側面に対して上記ウエルト部が位置決めされるように構成されている。
【０００８】
第３の発明は、上記インナ側壁部の保持リップの肉厚を、上記アウタ側壁部の保持リップの肉厚より厚くしている。
【０００９】
第４の発明は、上記頂部の外面に形成され、上記車体側開口部を開閉する開閉体の閉時にこの開閉体の周縁部に弾接する中空シール部を有している。
【００１０】
上記第１の発明では、ウエルト部の両側の側壁部のうち、アウタ側壁部の内面における保持リップの裏側に突起部が突出形成されており、フランジ嵌着時に保持リップの先端側がアウタ側壁部に近づくように撓み変形する際に、突起部が保持リップに当接する。つまり、フランジの厚さにかかわらず、保持リップがアウタ側壁部の突起部に突き当てられた状態に位置決めされることで、アウタ側壁部とフランジとの距離が一定に保持される。
【００１１】
従って、例えば第２の発明のように、車体側におけるフランジのアウタ側面と車体トリムの端縁との距離が一定に設定されている場合、フランジの厚さにかかわらず、フランジのアウタ側面に対するウエルト部の位置をほぼ一定に保ち、ひいては車体トリムの端縁とトリムリップとの位置関係が一定に保持されるために車体トリムの端縁とトリムリップの先端との間の隙を防止することができ、外観品質を向上することができる。
【００１２】
また、第３の発明のように、インナ側壁部の保持リップの肉厚を相対的に厚くすることで、この厚肉なインナ側壁部の保持リップによって、フランジの厚さが比較的薄い場合であっても、フランジがアウタ側壁部の方向に押し付けられて、アウタ側壁部の保持リップが突起部に当接した状態により確実に保持することができる。
【００１３】
特に、第４の発明のように、上記頂部の外面に中空シール部を有する構成の場合、フランジに沿う方向に中空シール部が張り出す形となるために、フランジに対するウエルト部の位置にばらつきを生じると、ウエルト部がフランジに対して傾く、いわゆる倒れや転び現象を生じ易いことから、フランジに対するウエルト部の位置決めが可能な本発明が極めて有効である。
【発明の効果】
【００１４】
本発明によれば、保持リップによりウエルト部をフランジに安定して保持させた上でフランジの板厚が長手方向でばらついているような場合であっても、突起部によりフランジに対するウエルト部の取付位置を適正化し、車体トリムの端縁とトリムリップの先端との隙を防止して、外観品質を向上することができる。
【図面の簡単な説明】
【００１５】
【図１】本発明の第１実施例に係るウエザーストリップが装着される自動車のトランク開口部を示す斜視図。
【図２】図１のＡ−Ａ線に沿うウエザーストリップの自由長の状態を示す断面図。
【図３】板厚が薄いフランジにウエザーストリップが取り付けられた状態を示す断面図。
【図４】板厚が厚いフランジにウエザーストリップが取り付けられた状態を示す断面図。
【図５】本発明の第２実施例に係るウエザーストリップが装着される自動車のドア開口部を示す説明図。
【図６】図４のＢ−Ｂ線に沿うウエザーストリップの自由長の状態を示す断面図。
【図７】従来例のウエザーストリップを示し、図７（ａ）が板厚が薄いフランジに取り付けられた状態、図７（ｂ）が板厚が厚いフランジに取り付けられた状態を示す断面図。
【発明を実施するための形態】
【００１６】
以下、図示実施例により本発明を説明する。図１〜図４は、本発明の第１実施例に係る自動車用のウエザーストリップ１０を示している。図１に示すように、トランク１が開閉する車両後部のトランク開口部２には、その周縁部に沿って、長尺なウエザーストリップ１０が全周にわたって閉ループ状に装着されている。
【００１７】
図２は図１のＡ−Ａ線に沿う位置でのウエザーストリップの自由長の状態での断面図である。また、図３はウエザーストリップ１０がフランジ３の板厚が薄い部分３Ａに装着された状態を示す断面図であり、図４はウエザーストリップ１０がフランジ３の板厚の厚い部分３Ｂに装着された状態を示す断面図である。車体側のフランジ３は、金属板を長手方向で適宜に繋ぎ合わせて閉ループ状に構成されているために、図３に示すように、金属板が一枚の部分３Ａでは厚さが薄くなり、図４に示すように、複数の金属板を重ね合わせた部分３Ｂでは厚さが厚くなる。つまり、長手方向でフランジ３の厚さ・板厚が異なるものとなっている。
【００１８】
ウエザーストリップ１は、均一断面に押出成形されるものであって、断面略Ｕ字状のウエルト部１１を有している。このウエルト部１１は、相互に対向する一対の側壁部１２，１３同士をそれらの間に介在する頂部１４をもって相互に接続することにより、頂部１４と正対する位置を開口部１５として全体として断面略Ｕ字状に形成され、自動車の車体側接合部であるフランジ３を受容してこれを挟持している。ウエルト部１１の内部には当該ウエルト部１１と相似形をなす金属製または樹脂製の芯材１６が埋設されている。
【００１９】
なお、一対の側壁部１２，１３のうち、フランジ３よりもトランク開口部２に近い側・インナ側に位置することとなる室内側の側壁部１２をインナ側壁部１２と呼び、フランジ３よりもトランク開口部２から遠い側・アウタ側に位置することとなる室外側の側壁部１３をアウタ側壁部１３と呼ぶ。
【００２０】
このウエルト部１１の外面側には、中空シール部１７，トリムリップ１８及び補助リップ１９が一体的に形成されている。中空シール部１７は、頂部１４の外面に付帯形成され、略菱形の閉ループ状をなし、フランジ３の突出方向に沿う形で頂部１４より上方へ突出している。この中空シール部１７がトランク閉動作時にトランク１（図１参照）の裏面側と弾接することによって、トランク１とのシール性が確保される。トリムリップ１８は、インナ側壁部１２の頂部１４近傍から適宜に湾曲しつつ側方へ延在し、車体側の内装材としての車体トリム４の端縁４Ａを覆い隠すように、この車体トリム４の端縁４Ａ近傍の外面に当接している。補助リップ１９は、アウタ側壁部１３の先端より斜め外方へ延びている。この補助リップ１９は、車体パネル（図示省略）に弾接することで、見栄えを良くするとともにウエルト部１１の倒れや転びを抑制する機能を有している。
【００２１】
このように、相手部品に弾接する中空シール部１７，トリムリップ１８及び補助リップ１９は、相対的に軟質なスポンジゴムにより形成されており、フランジ３に嵌着するウエルト部１１は、後述する保持リップ２１，２２及び突起部２３を含めて、所期の保持力を確保するために、相対的に硬質なソリッドゴムにより形成されている。
【００２２】
ウエルト部１１の各側壁部１２，１３の内面には、ウエルト部１１の深さ方向で二段にわたって、頂部１４へ向けて斜めに延びる保持リップ２１，２２が一体的に形成されている。これらの保持リップ２１，２２がフランジ３に弾接して撓み変形することで、ウエルト部１１がフランジ３に安定して保持される。インナ側壁部１２に設けられるインナ保持リップ２１は、アウタ側壁部１３に設けられるアウタ保持リップ２２に比して、厚さが厚い厚肉形状に形成されるとともに、その長さが長く設定されている。
【００２３】
そして、アウタ保持リップ２２の裏側に、位置決め用の一対の突起部２３が突出形成されている。各突起部２３は、先端へ向けて徐々に細くなる断面略台形状であって、つまり保持リップ２１，２２に比して厚肉な中実形状で相対的に剛性・反力の高いものとされている。その一方、保持リップ２１，２２は頂部１４に向かって斜めに突出する略舌片状のものであるために、その突出長さに応じた相応の可撓性を有している。
【００２４】
このように構成されたウエザーストリップ１は、図３及び図４に示すように、相手側となるフランジ３に嵌着・保持された時には、保持リップ２１，２２が頂部１４に向かって撓み変形しつつ、ウエルト部１１がそのフランジ３を受容して、当該フランジ３の両側からそのフランジ３を挟持する形となる。
【００２５】
このようなフランジ３への嵌着時には、アウタ保持リップ２２が撓み変形しつつ、その裏面側が突起部２３に当接して突き当てられた状態となる。ここで、保持リップ２１，２２の撓み反力・剛性よりも突起部２３の撓み反力・剛性の方が十分に大きいことから、フランジ３はアウタ保持リップ２２を挟んで突起部２３に押し付けられるようにして位置決め固定された状態となり、同時にフランジ３には両側の保持リップ２１，２２から撓み反力が作用することになる。つまり、両側の保持リップ２１，２２の撓み変形により生じる反力によってフランジ３を両面から加圧挟持しつつ、突起部２３により所定位置に位置決め固定された状態となる。
【００２６】
この点について、更に具体的に説明すると、保持リップ２１，２２は突起部２３に比して反力・剛性が低いことから、図４に示すようにフランジ３の板厚が厚い部分３Ｂでは、図３に示すようにフランジ３の板厚が薄い部分３Ａに比して、アウタ保持リップ２２が突起部２３に突き当てられた状態で、インナ保持リップ２１が大きく撓み変形することとなる。つまり、フランジ３の板厚にかかわらず、位置決め基準となるフランジ３のトランク開口部２から遠い側のアウタ側面３Ｃと、アウタ側壁部１３（の例えば内面側）との距離Ｄ１が略一定となり、ひいては、アウタ側面３Ｃに対してウエルト部１１がほぼ同じ位置に位置決めされた状態に保持される。
【００２７】
ここで、車体側の車体トリム４とフランジ３のアウタ側面３Ｃとの距離Ｄ２は一定に設定されている。従って、車体トリム４に対するウエルト部１１の位置関係についても、フランジ３の厚さにかかわらずほぼ同じ位置に保持される。この結果、フランジ３の板厚にかかわらず、車体トリム４に対するトリムリップ１８の位置関係もほぼ一定となり、トリムリップ１８の撓み代が長手方向で均一化されるために、車体トリム４の端縁とトリムリップ１８の先端との隙を防止することや、外観品質を向上することができる。
【００２８】
なお、仮にアウタ保持リップ２２を省略し、突起部２３をフランジ３のアウタ側面３Ｃに直接的に突き当てる構成とした場合、ウエルト部１１に抜け方向（図３，図４の上方向）の外力が作用したような場合に、フランジ３に対する保持力が低下し、脱落を招くおそれがある。これに対して本実施例では、４つの保持リップ２１，２２がフランジ３の抜け方向とは逆方向に撓んだ状態でフランジ３を両側から挟持しているために、保持リップ２１，２２の撓み変形に伴う反力によって抜け方向の外力に対抗することとなり、フランジ３に対するウエザーストリップ１の保持力を十分に確保することができる。
【００２９】
更に、本実施例のトランク用のウエザーストリップ１０のように、頂部１４の外側に中空シール部１７が設けられており、つまりフランジ３の突出方向に沿う形で中空シール部１７が設けられているウエザーストリップ１０の場合、トランク閉時に外力がフランジ３に沿う形で作用することから、フランジ３に対してウエルト部１１の位置がばらつくと、ウエルト部１１がフランジ３に対して傾く、いわゆる転びや倒れを招くおそれがある。この点に関して本実施例では、フランジ３の厚さにかかわらず、フランジ３の位置基準となるアウタ側面３Ｃに対してウエルト部１１の位置が一定化されているために、上記の転びや倒れの発生を抑制することができる。つまり本発明は、本実施例のように頂部１４の外側に中空シール部１７が設けられたウエザーストリップ１０に特に有効である。
【００３０】
また本実施例では、インナ保持リップ２１を、アウタ保持リップ２２に比して、肉厚を厚く、かつ、長く設定している。このために、図３に示すようにフランジ３の板厚が薄い場合にも、先ず相対的に薄肉で短いアウタ保持リップ２２が優先的に撓み変形して突起部２３に当接した位置決め状態に保持されることとなり、つまりフランジ３の板厚にかかわらずウエルト部１１を適正な位置に位置決め保持することができる。
【００３１】
図５及び図６は本発明の第２実施例を示している。なお、上記第１実施例と共通する部分には同一符号を付し、重複する説明を適宜省略する。この第２実施例に係るウエザーストリップ１０Ａは、図５に示すように、自動車の前後のドアにより開閉されるドア開口部２Ａの周縁に閉ループ状に装着される。
【００３２】
図６に示すように、このウエザーストリップ１０Ａは、中空シール部１７Ａがドア閉時にドア（図示省略）の周縁部に弾接するようにアウタ側壁部の側方に付帯形成されている点で、上記第１実施例と異なっている。その他の構成については上記第１実施例とほぼ同様である。すなわち、アウタ保持リップ２２の裏側に突起部２３が突出形成され、ウエルト部１１をフランジ３に嵌着する際に、アウタ保持リップ２２が突起部２３に突き当てられて位置決め保持されるように構成されている。このように、ドア開口部２Ａに装着される第２実施例のウエザーストリップ１０Ａにおいても、上記の第１実施例と同様、両側の保持リップ２１，２２によりフランジ３に対するウエルト部１１の保持力を十分に確保した上で、突起部２３によってフランジ３の板厚にかかわらずフランジ３のアウタ側面３Ｃに対するウエルト部１１を同じ位置に保持することができ、トリムリップ１８の撓み代を長手方向で均一化して外観品質の向上を図ることができる。
【００３３】
以上のように本発明を具体的な実施例に基づいて説明してきたが、本発明は上記実施例に限定されるものではなく、種々の変形・変更を含むものである。例えば、上記実施例では各側壁部に保持リップがそれぞれ２本設けられているが、１本あるいは３本以上であっても良く、また両側の側壁部で保持リップの本数が異なるものであっても良い。
【符号の説明】
【００３４】
１…トランク（開閉体）
２…トランク開口部（車体側開口部）
２Ａ…ドア開口部（車体側開口部）
３…フランジ
４…車体トリム
１０，１０Ａ…ウエザーストリップ
１１…ウエルト部
１２…インナ側壁部
１３…アウタ側壁部
１７，１７Ａ…中空シール部
１８…トリムリップ
２１…インナ保持リップ
２２…アウタ保持リップ
２３…突起部
【図１】
2014210440.tif 000003
【図２】
2014210440.tif 000004
【図３】
2014210440.tif 000005
【図４】
2014210440.tif 000006
【図５】
2014210440.tif 000007
【図６】
2014210440.tif 000008
【図７】
2014210440.tif 000009